(57)【要約】【課題】地震発生時においても落下物から人体を保護できる地震シェルタの機能を果たすとともに、箱型のベッド内の空気を清浄化して杉花粉等を除去でき、しかも経済性に優れた防災対応ベッドを提供することを課題とする。【解決手段】寝具が載置される床板２と、前記床板２の上部に配設される天蓋３と、前記床板２と前記天蓋３を接続する側壁４，５，６とを有する箱型のベッドであって、前記ベッドの内部に空気清浄機７を備えたことを特徴とする防災対応ベッド１により、上記の課題を解決する。【選択図】図１
2007259883.tif 000002
【特許請求の範囲】
【請求項１】
寝具が載置される床板と、前記床板の上部に配設される天蓋と、前記床板と前記天蓋を接続する側壁とを有する箱型のベッドであって、前記ベッドに空気清浄機構を併設したことを特徴とする防災対応ベッド。
【請求項２】
前記空気清浄機構の空気吹き出し口が前記ベッドの足元側に配設されることを特徴とする請求項１記載の防災対応ベッド。
【請求項３】
地震発生後に使用する脱出工具を前記床板の下部に収納したことを特徴とする請求項１または２記載の防災対応ベッド。
【発明の詳細な説明】
【技術分野】
【０００１】
本発明は、就寝中の地震発生に対応できるとともに、花粉症対策等のためベッド内の空気を清浄化できる防災対応ベッドに関する。
【背景技術】
【０００２】
日本は世界有数の地震国であり、阪神淡路大震災や中越地震等々、大きな被害を出した地震も少なくない。とりわけ阪神淡路大震災においては、地震発生時刻が早朝であったことから、多くの人は就寝中に地震に遭遇した。その結果、就寝中に倒壊した家屋の下敷きになって犠牲になった人々が多かった。また、全倒壊しないまでも半倒壊した家屋の梁や天井あるいは転倒した家具の下敷きになって犠牲になった人々も少なくなかった。
【０００３】
なお、地震発生の予知や早期警報システムについての研究も盛んに行われているが、未だ実用の域に達しているものはないし、特に地震発生の予知に関しては近未来に実用化される見通しすらない。その一方、東海沖地震や東南海沖地震等々の大地震発生の可能性や、地震規模は大きくなくとも都市直下型地震の発生の可能性も議論されている。これらの地震が発生した場合には、阪神淡路大震災以上の犠牲者が出ることも否定できない。
【０００４】
このような事情に対処するため、従来技術として、高さを調整固定し、補強した足に補強枠と、補強手摺を固定して、足に梁を組込み、足に梁を組込ませ、梁に桟を任意の間隔を置き固定させ桟に中空の中間梁を固定し、中間梁内に収納されるように設けた収納梁に移動桟を移動自在に組み込み、移動桟の両端には梁上を滑らせながら連結させる連結金具を取りつけ、収納梁の引き出し先端部ににぎり棒を取り付け固定し、にぎり棒に補強手摺を支え咬むように設けた支え金具を固定し、本装置内を座位姿勢で活動できる高さを有してテント状に構成した防災安眠装置が、提案されている（例えば、特許文献１参照）。
【０００５】
ところで、日本では第二次大戦後、建築用木材の供給を目的として盛んに植林が行われた。とりわけ杉材や檜材は建築用木材として人気が高く、需要も旺盛であったことから植林される苗木の多くは、杉と檜であった。しかし、戦後数十年を経ることにより林業を取り巻く経済環境は激変し、植林された杉や檜は手入れされることもなく、また伐採すらされないまま放置されるに至っている。その結果、日本においては毎年春先になると大量の杉花粉や檜花粉が飛散する状態に至っている。それに加えて都市部においては、自動車から排出される排気ガスの影響が重畳して、多くの人々が花粉症に苦しんでいる。今日では花粉症は日本の国民病であるとさえ言われている。
【０００６】
このような事情に対処するため、空気清浄機が多くのメーカから販売されている。特にＨＥＰＡフィルターを内蔵した空気清浄機は、杉花粉や檜花粉を効果的に捕捉できることから、花粉症に苦しむ人々にとって空気清浄機を設置することは花粉症対策の一つの選択肢となっている。
【特許文献１】特開平１０−１１７８９４号公報
【発明の開示】
【発明が解決しようとする課題】
【０００７】
上記特許文献に開示された防災安眠装置は、地震発生時に上部から落下する落下物が大きな物である場合には有効であるものの、照明器具等の小さな落下物の場合には防災機能を発揮できなかった。ベッド上部の保護空間を梁と桟との組み合わせによる骨格構造により形成していることから、照明器具等の小さな落下物は骨格の間を通過してしまい、就寝者を有効に保護できなかった。また、ベッド上部の保護空間を梁と桟との組み合わせによる骨格構造により形成していることから、梁や桟には高強度を有する金属材料を用いる必要があった。したがって、同一物を大量生産しない限り製作コストの低減を図ることができないという問題があった。
【０００８】
また、花粉症対策として有効な空気清浄機は、設置される部屋の内部の空気全体を浄化するものであり、就寝中に使用する場合には経済性に乏しかった。すなわち、花粉フリーの空間を実現するためには、ＨＥＰＡフィルターを通した空気が層流となって空間外部に流れ出る必要があり、部屋に大型の空気清浄機をおいても花粉をかき混ぜているだけで、外から花粉を含んだ空気が部屋内に引き込まれ花粉症対策として十分な効果をあげることはできないという問題があった。
【０００９】
本発明は、かかる事情に鑑みてなされたものであり、地震発生時においても落下物から人体を保護できる地震シェルタの機能を果たすとともに、箱型のベッド内の空気を清浄化して杉花粉等を除去でき、しかも経済性に優れた防災対応ベッドを提供することを課題とする。
【００１０】
また、不幸にして就寝中に地震が発生し、家屋が倒壊することにより箱型のベッド内に閉じ込められた場合であっても、自力で脱出できる防災対応ベッドを提供することをも課題とする。
【課題を解決するための手段】
【００１１】
請求項１記載の発明は、寝具が載置される床板と、前記床板の上部に配設される天蓋と、前記床板と前記天蓋を接続する側壁とを有する箱型のベッドであって、前記ベッドの内部に空気清浄機または空気清浄機構を併設することを特徴とするものである。
【００１２】
請求項２記載の発明は、請求項１記載の防災対応ベッドにおいて、前記空気清浄機を前記ベッドの足元側に設置し、あるいは空気清浄機構よりのクリンエアの吹き出し口を足元側に配置することを特徴とするものである。
【００１３】
請求項３記載の発明は、請求項１または２記載の防災対応ベッドにおいて、地震発生後に使用する脱出工具を前記床板の下部に収納したことを特徴とするものである。
【発明の効果】
【００１４】
請求項１記載の防災対応ベッドによれば、大地震が発生した場合であっても、天蓋と側壁により家屋の天井や梁等の落下物から就寝者を保護することができる。また、空気清浄機を運転することにより、箱型のベッド内の空気を清浄化し層流の流れを形成して出入り口から排出するので、簡単かつ安価に花粉フリーの空間を実現することができる。したがって、花粉症の症状を有する人にとって有効な花粉症対策となる。
【００１５】
請求項２記載の防災対応ベッドによれば、空気清浄機をベッドの足元側に設置したことから、空気清浄機からの吹き出し空気が就寝者の上半身に直接当たることがない。したがって、就寝者の上半身を冷やすことがなく健康を害する懸念がない。
【００１６】
請求項３記載の防災対応ベッドによれば、地震発生後に使用する脱出工具を床板の下部に収納したことから、地震により家屋が倒壊して就寝者が閉じ込められた場合であっても、前記脱出工具を使用して倒壊した家屋から自力で脱出することができる。
【発明を実施するための最良の形態】
【００１７】
以下、本発明の実施形態について図面を参照しながら説明する。図１は本発明に係る防災対応ベッドの第１実施例を示す外観斜視図である。図２は第１実施例に係る防災対応ベッドの正面図であり、図３は図２中のＡ−Ａ矢視断面図である。
【００１８】
本実施例による防災対応ベッド１は、寝具が載置される床板２と、前記床板２の上部に配設される天蓋３と、前記床板２と前記天蓋３を接続する側壁４，５，６とを有する箱型のベッド１であって、前記ベッド１の内部に空気清浄機７を備えるものである。外観は略直方体の箱型をしており、ダブルベッドの場合の横幅×長さ×高さ寸法は、１．８ｍ×２．１ｍ×１．８ｍ程度である。また、シングルベッドの場合の横幅×長さ×高さ寸法は、０．９ｍ×２．１ｍ×１．８ｍ程度である。なお、寝具が載置される床板２は、いずれの場合も底面から０．６ｍ位の高さの位置に設けられている。
【００１９】
ここで、略直方体をした箱型のベッド１の側壁４，５，６は、周囲４面のうち出入り口となる１面を除く３面に設けられる。その結果、直方体をした箱型のベッド１は、出入り口となる１面を除き、下面の底板８、上面の天蓋３、３面の側壁４，５，６で隙間なく接合されることになる。通常のクリーンルームやクリーンベッドのように周囲４面を密閉することなく、出入り口となる正面９を開放しているのは、正面９を密閉することによる酸欠や窒息の危険性を排除するためである。また、清浄化された空気を外部に層流として押し出す設計目標を安価、かつ簡便に実現するものである。
【００２０】
本実施例によるベッドを実際に使用した結果によれば、周囲３面だけに側壁４，５，６を設けて出入り口となる正面９を開放したままであっても、市販の８畳仕様程度の小型空気清浄機を用いるだけで十分であった。逆に１６畳の広さの居間兼寝室全体を清浄化しようと２４畳仕様程度の中型空気清浄機を設置しても、室内の空気をかきまぜるだけで花粉症の症状を軽減することはできなかった。
【００２１】
なお、出入り口となる正面９についても閉塞したいということであれば、市販されている標準品としてのアルミサッシを出入り口に取り付けるとともに、酸欠防止のための換気装置を設けることができる。
【００２２】
本実施例のベッドを構成する主要部材は、ツーバイフォー（以下、「２×４」と記載する。）として普及している構造用合板からなる。すなわち、底板８、床板２、天蓋３、側壁４，５，６のいずれもが２×４の構造用合板から製作される。２×４の構造用合板は、それ自体で十分な強度を有するものであり、本実施例においては補強用の骨格を用いていない。
【００２３】
寝具が載置される床板２の上部空間のうち、就寝者の枕元側となる側壁４には、小物を載置するための水平棚11が設けられる。この水平棚11には、例えば、懐中電灯、工具としての十字ドライバー、２０００ｃｃのペットボトル入りの飲料水３本程度を備えると、就寝中に地震に遭遇した場合は十字ドライバーで床板をとめた木ねじを外し、床下の脱出具にアクセスできる。ペットボトルによる飲料水の確保は、阪神淡路大震災などで最重要であることが分かっているが、長期間貯蔵して古くなると困るので、ベッド内の水平棚11の見える位置に３本を配置し、１週間程度で更新して古い水を使用すれば水も無駄にならない。また、震災時には携帯電話端末とラジオも必需品であるので、これらも就寝者の手の届くベッド内の棚11に置くようにする。
【００２４】
一方、寝具が載置される床板２の上部空間のうち、就寝者の足元側となる側壁５の上部には非常灯12が設置される。非常灯12にはマンションやオフィスに設置が義務付けられている汎用の非常用蛍光灯システムを用いることができる。このことにより、不幸にして就寝中に地震に遭遇して停電になったとしても、非常用蛍光灯システムの蓄電器に充電された電力により２時間程度であれば照明が可能となる。
【００２５】
また、就寝者の足元側となる床板２上には薄型でコンパクトな空気清浄機７が設置される。このような部位に空気清浄機７を設置することにより、空気清浄機７からの吹き出し空気が就寝者の頭部や上半身に直接当ることがない。したがって、就寝者の身体を過剰に冷やすことがなく健康に悪影響を与えることがない。空気清浄機７により清浄化される空気量は床板２より上部の空間であり、シングルベッドの場合の横幅×長さ×高さ寸法は、０．９ｍ×２．１ｍ×１．２ｍ程度となる。したがって、清浄化の対象となる空気量は僅かであり、空気清浄機７は市販されている空気清浄機の中でもっとも小型のもので十分であり、低廉なコストで入手することができる。ただし、空気清浄機７はＨＥＰＡフィルターを内蔵したものを使用することが望ましい。ＨＥＰＡフィルターを内蔵した空気清浄機７を使用することによって杉花粉や檜花粉を効果的に捕捉することができ、花粉症対策として極めて有益なものとなる。
【００２６】
防災対応ベッド１には、交流１００Ｖの商用電源が準備され、上述した非常用蛍光灯システム12および空気清浄機７の駆動用に供せられる。また、この商用電源を利用して後述する充電器13により自動車用バッテリー14にも充電する。
【００２７】
床板２の下部空間、すなわち底板８の上には、電動工具15の停電時における動力源として充電器13と自動車用バッテリー14を備える。このことにより、地震の被害により停電になったとしても、電動工具15等を用いて閉じ込められた空間からの脱出を試みることができる。電動工具15としては電動ドリルより電動砥石のほうが適しており、電動砥石を床板２の下部空間に常備しておくとよい。さらに、床板２の下部空間に脱出工具15として以下のものを常備すれば、非常事態への一層迅速な対応が可能となる。例えば、軍用の小型スコップ、１８０ｃｍ程度の大型のバール、３０ｃｍ程度の大きさの普通のくぎ抜き、３０ｃｍ程度の大型の鉈、９ｍｍ程度の打ノミ、コンクリート用の頑丈な金槌、コンクリートを砕くための大小のタガネ、鉄筋を切断するための金鋸、長さ２０ｍ程度の登山用ロープ、ズック２足等々である。
【００２８】
図４および図５は、本発明に係る防災対応ベッドの第２実施例を示すものである。本実施例は第１実施例と基本構成において共通するものであるが、２×４の構造用合板からなる箱体構成に加えて骨格構造により補強した点が第１実施例と異なる。２×４の構造用合板は、それ自体でも十分な強度を有するものであるが、９１ｃｍ×１８０ｃｍの２×４の構造用合板の接続部位に骨格を配置することで箱体の強度を一層向上させることができる。
【００２９】
図４、図５に示す骨格構造は一例であり、側壁４，５，６や天蓋３の内面に沿って水平方向や鉛直方向の補強部材16，17を適宜配置することができる。図示した例では出入り口となる正面９にも鉛直方向の補強部材18を設けている。このように正面９に補強部材18を設けるとベッドへの出入りに際して多少の不便はあるものの、箱体としての強度は大きく向上する。また、ベッドの天蓋３から家屋の天井までの距離が大きく、落下物が落下した場合の衝撃エネルギが大きくなることが想定される用途においては天蓋３を構成する２×４構造用合板を２枚重ねとして、大きな衝撃エネルギに対して耐えるようにすることもできる。
【００３０】
骨格部材としては、２×４インチ部材、４×４インチ部材、２×６インチ部材等を使用し、これらの部材をプレカットしたものを現地で組み合わせて骨格を製作する。したがって、狭いドアしかない部屋においても部材を個別に搬入して部屋内で組立てることができるので、狭いドアしかない部屋でも搬入搬出の心配が要らない。
【００３１】
上記各実施例による防災対応ベッド１によれば、大地震が発生して就寝中に家屋が倒壊した場合であっても、天蓋３と側壁４，５，６により家屋の天井や梁等の落下物から就寝者を保護することができる。また、地震により家屋が倒壊して就寝者が閉じ込められた場合であっても、脱出工具15を使用して倒壊した家屋から自力で脱出することができる。
【００３２】
さらに、空気清浄機７を運転することにより、箱型のベッド内の空気を清浄化できるので、花粉症の症状を有する人にとって有効な花粉症対策となる。花粉症の症状の多くは夜および朝に発生することがよく知られている。夜間における脳活動が関与してヒスタミンを誘発することによるものである。しかも、昼間であればマスクを着用することにより花粉症の発症をある程度抑制することもできるが、就寝中はマスクを着用してもすぐに外れてしまい効果がない。しかし、本発明に係る実施例によれば就寝中においても花粉を吸い込むことがないので、花粉症の症状を有する人にとって極めて有益な花粉症対策となる。
【００３３】
以上、本発明を実施例に基づいて説明したが、本発明はこれらの実施例に限定されるものではなく、種々の変形実施をすることができる。例えば、上記実施例においては、主として２×４の構造用合板を用いてベッドを製作しているが、本発明は２×４の構造用合板を用いたベッドに限定されるものではなく、通常の合板木材や鉄骨、グラスファイバー等を適宜組み合わせて製作することもできる。
【図面の簡単な説明】
【００３４】
【図１】本発明に係る防災対応ベッドの第１実施例を示す外観斜視図である。
【図２】第１実施例に係る防災対応ベッドの正面図である。
【図３】図２中のＡ−Ａ矢視断面図である。
【図４】第２実施例に係る防災対応ベッドの正面図である。
【図５】図４中のＢ−Ｂ矢視断面図である。
【符号の説明】
【００３５】
１  防災対応ベッド（ベッド）
２  床板
３  天蓋
４  側壁
５  側壁
６  側壁
７  空気清浄機
15  脱出工具（電動工具）
【図１】
2007259883.tif 000003
【図２】
2007259883.tif 000004
【図３】
2007259883.tif 000005
【図４】
2007259883.tif 000006
【図５】
2007259883.tif 000007